(57)【要約】【課題】  支柱上端に天端目隠しプレートを取り付けるときの作業を容易化することにより、作業の安全性を高め、かつ結果として施工コストも低減できるようにした、より改良された軽量盛土構造体を提供する。【解決手段】  壁面材９を取り付けるための支柱２と、支柱に沿うように多段に積み上げた軽量盛土としての樹脂発泡体ブロック３と、隣り合う支柱２、２間に形成される空洞部と壁面材９と樹脂発泡体ブロック３の間に形成される空洞部とを覆うようにして支柱の上端に取り付けた天端目隠しプレート２０とを備える軽量盛土構造体において、天端目隠しプレート２０を断面がほぼＵ字状をなす溝型鋼板で構成する。【選択図】  図１
2005155199.tif 000002
【特許請求の範囲】
【請求項１】
壁面材取り付け用の支柱と、支柱に取り付けた壁面材と、支柱に沿うように多段に積み上げた軽量盛土としての樹脂発泡体ブロックと、隣り合う支柱間に形成される空洞部と壁面材上端とを覆うようにして支柱の上端に取り付けた天端目隠しプレートと、樹脂発泡体ブロックの上面に構築した路盤などの仕上げ構造材、とを少なくとも備える軽量盛土構造体であって、前記天端目隠しプレートは断面がほぼＵ字状をなす溝型鋼板であることを特徴とする軽量盛土構造体。
【発明の詳細な説明】
【技術分野】
【０００１】
本発明は、軟弱地盤や地滑り地などで採用される軽量盛土として樹脂発泡体ブロックを用いた軽量盛土構造体に関する。
【背景技術】
【０００２】
発泡スチロールブロック（ＥＰＳブロック）のような樹脂発泡体ブロックを軽量盛土として用いた軽量盛土構造体は知られており、地盤改良にかかる経費の節減、工期の短縮、耐震性の向上などにおいて優れた効果を発揮することから、種々の土木工事において広く採用されている。図５は従来の軽量盛土構造体の一例であり、地山の傾斜面１に対向してＨ鋼のような支柱２を立設し、傾斜面１と支柱２との間に多段に樹脂発泡体ブロック３を積み重ね、その上に、コンクリート床版５、地覆工６、路盤材７、アスファルト舗装８などの仕上げ構造材を配置している。支柱２には樹脂発泡体ブロック３の側面を保護するために壁面材９が取り付けられる（特許文献１：特開平１１−１００８４６号公報など参照）。なお、図５で、１０は支柱２を立設するための基礎コンクリートを示す。
【０００３】
上記のような構造物において、支柱２は間隔をおいて建てられており、支柱と支柱の間は空洞部となる。また、支柱２に取り付ける壁面材９と樹脂発泡体ブロック３の間も空洞部となる。空洞部に土砂などが入るのを防ぎ、また樹脂発泡体ブロック３を紫外線から保護する必要から、図５に示すように、地覆工６で支柱間の空洞部および壁面材９と樹脂発泡体ブロック３の間の空洞部を覆うことが行われる。
【０００４】
図６ａ，図６ｂは、支柱間の空洞部および壁面材９と樹脂発泡体ブロック３の間の空洞部を覆う他の手段を示しており、図６ａの態様では、隣り合う支柱２、２の上端間に架け渡すようにして、平鋼板である天端目隠しプレート１１をナット１２と止めボルト１４などのネジ止め手段により支柱上端に取り付け、該天端目隠しプレート１１でもって壁面材９と樹脂発泡体ブロック３の間の空洞部をも覆うようにしている（特許文献２：特許第３４５７０６５号の図１２）。図６ｂの態様では、天端目隠しプレート１１ａとして平鋼板の代わりにＬ型鋼板を用いている。
【０００５】
【特許文献１】特開平１１−１００８４６号公報
【特許文献２】特許第３４５７０６５号の図１２
【発明の開示】
【発明が解決しようとする課題】
【０００６】
図５の例のように、地覆工６で支柱間の空洞部および壁面材９と樹脂発泡体ブロック３の間の空洞部を覆うことは、軽量盛土である樹脂発泡体ブロック３が上載荷重により沈下することに対する対処が容易でない。天端目隠しプレート１１を用いる態様は、地覆工が支柱上端に位置しないため、樹脂発泡体ブロック３の沈下に対する対処は容易であり、広く採用されている。しかし、従来の天端目隠しプレートは平鋼板やＬ型鋼板を用いていることから、支柱上端にネジやリベットでもって固定するまでの作業に細心の注意が必要とされる。
【０００７】
すなわち、作業に当たっては、図６に示すように、最初に支柱２の上端に天板プレート１３を溶着し、そこに止めボルト１４を溶着する。天端目隠しプレート１１の両端には長孔（不図示）が設けてあり、作業者は、隣接する２本の支柱２、２のそれぞれの天板プレート１３に立設された止めボルト１４が天端目隠しプレート１１の両端に形成した長孔を通過するようにして、天端目隠しプレート１１を支柱２の上端部に載置し、その後、ナット１２を締め付けて、両者を一体に固定している。止めボルト１４を立設せずに、長孔からリベットを天板プレート１３に打ち込んで固定することもある。
【０００８】
天端目隠しプレート１１が平鋼板やＬ型鋼板の場合、支柱２の上に単に乗ったままの状態では自由に横移動できるので、横風が吹いて支柱上でのバランスが崩れたとき、あるいは作業者が不用意に横移動させてしまったときなどに、天端目隠しプレート１１はバランスを崩して容易に落下する恐れがある。そのために、止めボルト１４と天端目隠しプレート１１に形成した長孔とを係合させるまでの作業には慎重さが求められる。リベット止めの場合には、リベット止めの工程まで天端目隠しプレート１１を所定位置にしっかりと押さえておくことが必要となる。天端目隠しプレートが図６ｂに示すようにＬ型鋼板の場合には、重心が側方に偏位しているためにバランスを崩しやすく、特に慎重な作業が求められる。
【０００９】
本発明は上記のような事情に鑑みてなされたものであり、支柱上端に天端目隠しプレートを取り付けるときの作業を容易化することにより、作業の安全性を高め、かつ結果として施工コストも低減できるようにした、より改良された軽量盛土構造体を提供することを目的とする。
【課題を解決するための手段】
【００１０】
本発明による軽量盛土構造体は、壁面材取り付け用の支柱と、支柱に取り付けた壁面材と、支柱に沿うように多段に積み上げた軽量盛土としての樹脂発泡体ブロックと、隣り合う支柱間に形成される空洞部と壁面材上端とを覆うようにして支柱の上端に取り付けた天端目隠しプレートと、樹脂発泡体ブロックの上面に構築した路盤などの仕上げ構造材、とを少なくとも備える軽量盛土構造体において、前記天端目隠しプレートは断面がほぼＵ字状をなす溝型鋼板であることを特徴とする。
【００１１】
本発明による軽量盛土構造体では、天端目隠しプレートとして断面がほぼＵ字状をなす溝型鋼板を用いる。溝型鋼板は平坦な上面の両側に所定長さの垂直壁を持つ。施工時に、支柱の上端に溝型鋼板である天端目隠しプレートを置いたときに、溝型鋼板の上面の巾と支柱の巾との差分だけ天端目隠しプレートは自由に移動できる。しかし、所要距離だけ移動すると垂直壁が支柱の側面に衝接し、それ以上の横移動は制限される。そのために、横風や作業者の不注意により支柱上端に乗った天端目隠しプレートが横移動したとしても、バランスを崩して下まで落下してしまう事態を確実に回避することができる。このことは、止めボルトと長孔との位置合わせなど、天端目隠しプレートを取り付けるときの諸作業がきわめて容易化することを意味しており、大きな実用上の効果がもたらされる。
【００１２】
さらに、同じ厚さの鋼板でも、平鋼板やＬ型鋼板と比較して断面がほぼＵ字状をなす溝型鋼板は曲げに対する剛性が大きい。そのために、より薄手の鋼板でもって所要の強度を持つ天端目隠しプレートを製造することができ、従来のものよりも軽量化することから、作業性はさらに向上する。
【００１３】
近年、軽量盛土工法に対して新たな研究が行われ、そこにおいて、本来ＥＰＳブロックのような樹脂発泡体ブロックは一側面がほぼ垂直面となるようにして多段に積み上げても十分に自立性を備えており、樹脂発泡体ブロックを軽量盛土として多段に積み上げ、その上面に路盤などの仕上げ構造材を配置した軽量盛土構造体において、積み上げた軽量盛土の支持構造材としてＨ鋼支柱を立設することは本来不必要であったことが認識された。従って、本発明においても、支柱として従来のように重量物であるＨ鋼を用いることは必須でなく、Ｈ鋼と比較して細くかつ軽量な角パイプまたはＣ型鋼を支柱として用いることは作業の簡便性から有効である。
【００１４】
本発明者らは、支柱として従来１５０ｍｍ巾のＨ鋼を用いていた軽量盛土構造体において、支柱を１００ｍｍ角の角パイプに置き換えても、壁面材取り付け用の支柱として十分な強度を備えることを実験を通して知見しているが、その場合、壁面材の厚みを考慮しても、上面巾が１５０ｍｍの市販（規格品）の溝型鋼板をそのまま用いることができ、施工コストを大きく低減できる利点もある。
【発明の効果】
【００１５】
本発明による軽量盛土構造体によれば、支柱の上端に天端目隠しプレートを取り付けるときの作業を容易化することができ、作業の安全性が向上すると共に、結果として施工コストを低減することが可能となる。
【発明を実施するための最良の形態】
【００１６】
以下、本発明を図面を参照して実施の形態に基づき説明する。図１は本発明による軽量盛土構造体で使用する天端目隠しプレートの一例とその取り付け態様を説明するための図である。図２は本発明による軽量盛土構造体の一例を示す側面図であり、図３はその要部の断面図である。また、図４は好ましくは用いられる支柱の建て込み態様を説明する図である。
【００１７】
本発明による軽量盛土構造体で使用する天端目隠しプレート２０は、断面がほぼＵ字状をなす溝型鋼板であり、例えば、市販の溝型鋼板（例えば、品番：軽みぞ型鋼１５０×５０×３．２）を所要長さに切断して、そのまま用いるとができる。この例において、上面板２１の巾１５０ｍｍ、側壁２２の高さ５０ｍｍ、厚さ３．２ｍｍのものであり、隣り合う支柱２、２の中心間距離の長さに切断されている。上面板２１の両端部には、支柱上端へ取り付けるときに用いられる長孔２３が形成される。
【００１８】
施工に際し、図２、図３に示すように、基礎コンクリート１０に所定間隔で支柱２、２を立設し、立設した支柱２の上端に天板プレート１３を溶着する。また、支柱２に壁面取り付け用の金具１５を取り付け、それを利用して、側面全面に壁面材９を多段に張り付ける。一方、支柱２の壁面材９とは反対側には、樹脂発泡体ブロック３を多段に積み上げて軽量盛土とする。なお、この施工手順は従来のものと同じであってよい。
【００１９】
隣り合う支柱２、２の間を架け渡すようにして、支柱の上端に図１に示すようにして天端目隠しプレート２０を載置する。この例において、支柱２として１００ｍｍ×１００ｍｍの角パイプを用いており、天端目隠しプレート２０の上面巾が１５０ｍｍであることから、支柱２に取り付けた壁面材９と樹脂発泡体ブロック３の間の空洞部も天端目隠しプレート２０により完全に覆われる。しかし、支柱の上端に単に載置したときには、５０ｍｍ遊び分だけ天端目隠しプレート２０は自由に横移動ですることができる。
【００２０】
しかし、最も前方まであるいは最も後方まで天端目隠しプレート２０が移動した時点で、天端目隠しプレート２０の側壁２２は支柱２の前方側壁２ａあるいは後方側壁２ｂと衝接することとなり、それ以上の移動は阻止される。また、衝接面での摩擦抵抗により、天端目隠しプレート２０が転倒して下方に落下することも抑制される。溝型鋼の重心は巾方向の中央にあることからも、転倒による落下は効果的に阻止される。
【００２１】
このように支柱２の上端での姿勢が安定していることから、作業者は天端目隠しプレート２０の取り扱いを安心して行うことができ、天板プレート１３にリベット止めするときに、上面板２１に形成した長孔２３を適正位置に位置決めするときの作業、あるいは天板プレート１３に止めボルト１４を溶着した場合に、止めボルト１４と長孔２３の位置合わせを行う作業、などをきわめて容易に行うことができる。また、作業の安全性も大きく向上する。
【００２２】
その後、図３に示すように、コンクリート床版５や、地覆工６、路盤材７、アスファルト舗装８などの仕上げ構造材を設置する作業を行い、軽量盛土構造体は完成する。なお、図２に示す例では路面Ｒが登り勾配となっており、基礎コンクリート１０は段差１０ａを有し、支柱２、２の上端レベルも段差を有している。天端目隠しプレート４０は、そのような段差部分において支柱２に取り付けた壁面材９と樹脂発泡体ブロック３との間のわずかな空洞部を覆うのに用いられる天端目隠しプレートを示している。
【００２３】
なお、本発明の軽量盛土構造体において、基礎コンクリート１０に支柱２を立設する態様は任意である。図示しないが、根入れ式でもよく、基礎コンクリートに埋め込んだアンカーボルトを用いて支柱下端のプレートをねじ止めするような態様でもよい。また、支柱としてＨ鋼と比較して軽量な角パイプやＣ型鋼を用いる場合には、後記するさらに容易な立設方法を採用することができる。
【００２４】
図３、図４は、その新規な支柱立設方法を用いて、本発明による軽量盛土構造体を構築した場合を示している。ここでは、基礎コンクリート１０を構築するときに、支柱２を支持するための支柱アンカー３０を同時に建て込み、そこに軽量かつ細身の角パイプである支柱２を差し込んで固定するようにしている。
【００２５】
この態様を採用することにより、支柱２の立設作業を一人の作業者で行うことが可能となると共に、１００ｍｍ角程度の細い角パイプを用いることから、上記のように、市販の溝型鋼板（例えば、品番：軽みぞ型鋼１５０×５０×３．２）をそのまま天端目隠しプレート２０として利用することができ、軽量盛土構造体を一層容易かつ低コストで造ることが可能となる。
【００２６】
支柱アンカー３０は、前記角パイプの内寸法ａよりもわずかに狭い横幅を持つ２枚の鋼板３１、３１と、２枚の鋼板３１、３１を前記角パイプの内寸法ａよりもわずかに狭い距離を保持して平行に連結するための第１と第２の横架材３２、３３とで構成される。
【００２７】
第１の横架材３２、３２は、２枚の鋼板３１、３１の上下端における巾方向の中央部に溶着され、第２の横架材３３、３３は、鋼板３１の上下方向のほぼ中央部において、２枚の鋼板３１、３１の両側縁を繋ぐようにして溶着される。必須ではないが、一方の第２鋼板３３には、最下段の壁面材９の下端を支承するための支持部材３６が適宜の手段により取り付けられる。
【００２８】
施工に際して、従来工法と同様にして地盤整備を行い、支柱２を立設するための基礎コンクリート１０を打設する。そのときに、支柱２を建てるべき場所に上記の支柱アンカー３０を垂直方向に一体に建て込む。前記第２の横架材３３は埋込深さを一定にするための目安としても用いられる。コンクリートの硬化後、角パイプの内部空間に支柱アンカー３０の立ち上がり部分に差し込むようにして、支柱２を取り付ける。その後、支柱２の下端近傍に形成した穴２ａと支柱アンカー３０に形成した穴３５とにボルト３８を通し、ナット３９で固定する。
【００２９】
上記の支柱立設方法は、支柱としてＣ型鋼を用いる場合も同様に採用できる。細身の角パイプあるいはＣ型鋼の場合、上端の面積がＨ鋼などと比較して小さくなり、天端目隠しプレートを単に置いたときの安定性が一般的に不足するが、本発明のように天端目隠しプレートとして断面がほぼＵ字状をなす溝型鋼板である天端目隠しプレート２０を用いることにより、上記したように十分な安定性を確保することができ、軽量盛土構造体の施工の安全性と容易性が確保される。
【図面の簡単な説明】
【００３０】
【図１】本発明による軽量盛土構造体で使用する天端目隠しプレートの一例とその取り付け態様を説明するための図。
【図２】本発明による軽量盛土構造体の一例を示す側面図。
【図３】本発明による軽量盛土構造体の要部の断面図。
【図４】好ましくは用いられる支柱の建て込み態様を説明する図。
【図５】従来の軽量盛土構造体の一例を示す断面図。
【図６】従来の軽量盛土構造体の他の例を示す断面図。
【符号の説明】
【００３１】
１…地山の傾斜面、２…支柱、３…樹脂発泡体ブロック（軽量盛土）、５…コンクリート床版、６…地覆工、７…路盤材、８…アスファルト舗装、９…壁面材、１０…基礎コンクリート、１１、２０、４０…天端目隠しプレート、１３…天板プレート、１４…止めボルト、１５…壁面取り付け用の金具、２１…上面板、２２…側壁、２３…長孔、３０…支柱アンカー、３１…鋼板、３２、３３…第１と第２の横架材、３６…最下段の壁面材の下端を支承するための支持部材
【図１】
2005155199.tif 000003
【図２】
2005155199.tif 000004
【図３】
2005155199.tif 000005
【図４】
2005155199.tif 000006
【図５】
2005155199.tif 000007
【図６】
2005155199.tif 000008